(57)【特許請求の範囲】
【請求項１】
計器と、
前記計器を固定する第１の支持固定部と、
溝部を有する取付台部材と、
前記取付台部材に設けられ、前記第１の支持固定部が支持固定される第２の支持固定部と、
前記取付台部材の表面を覆うカバー部材と、を備えており、
前記カバー部材には、前記第２の支持固定部が挿通された状態において前記取付台部材と前記カバー部材との相対位置の変更を可能にする貫通孔が形成され、
前記取付台部材は、前記溝部として、
前記計器の被設置面に倣わせる前記取付台部材の変形を促す第１の溝部と、
前記カバー部材からの前記取付台部材のはみ出し部分の折除を促す第２の溝部と、を備える、
ことを特徴とする計器装置。
【請求項２】
前記第１の支持固定部と、前記第２の支持固定部とは、前記計器の俯仰角度を調整するべく回転軸を中心に回転可能に連結される、
ことを特徴とする請求項１に記載の計器装置。
【発明の詳細な説明】
【技術分野】
【０００１】
本発明は、計器装置に関する。
【背景技術】
【０００２】
計器装置の中には、例えば車両のダッシュボードなどに後で取り付けて使用するものがあり、取付装置を介して計器装置が設置される。
例えば特許文献１に開示された取付装置では、四角形の取付台座に、一辺と平行に一対の支持固定部を折り起こし、計器の一対の支持部と取付台座の支持固定部とを軸部材を介して取り付けることで、計器を、軸部材を中心に回動して俯仰できるようにしている。ダッシュボードへの計器の取り付けは、計器を運転者が見易くするよう軸部材の方向を車両の前後方向に対して斜め方向に設定し、両面粘着テープで固定するようにしている。
【先行技術文献】
【特許文献】
【０００３】
【特許文献１】特開２０００−７１８１４号公報
【発明の概要】
【発明が解決しようとする課題】
【０００４】
特許文献１に記載された取付装置では、四角形の取付台座が車両の前後方向やダッシュボードの稜線に対して斜め方向となり、見た目が悪く、美観を損ねるという問題がある。
【０００５】
本発明は、上記問題点に鑑みてなされたものであり、運転者に見やすく設置しても見た目が良く、美観を損ねることのない計器装置を提供することを目的とする。
【課題を解決するための手段】
【０００６】
上記目的を達成するため、本発明に係る計器装置は、
計器と、
前記計器を固定する第１の支持固定部と、
溝部を有する取付台部材と、
前記取付台部材に設けられ、前記第１の支持固定部が支持固定される第２の支持固定部と、
前記取付台部材の表面を覆うカバー部材と、を備えており、
前記カバー部材には、前記第２の支持固定部が挿通された状態において前記取付台部材と前記カバー部材との相対位置の変更を可能にする貫通孔が形成され、
前記取付台部材は、前記溝部として、
前記計器の被設置面に倣わせる前記取付台部材の変形を促す第１の溝部と、
前記カバー部材からの前記取付台部材のはみ出し部分の折除を促す第２の溝部と、を備える、
ことを特徴とする。
【発明の効果】
【０００７】
本発明によれば、運転者に見やすく設置しても見た目が良く、美観を損ねることがない。
【図面の簡単な説明】
【０００８】
【図１】本発明の計器装置の一実施の形態を示し、（ａ）は部分断面図、（ｂ）は取付台部材とカバー部材の平面図である。
【図２】本発明の一実施の形態の取付台部材を示し、（ａ）は平面図、（ｂ）は正面図である。
【図３】本発明の一実施の形態のカバー部材の平面図である。
【図４】本発明の一実施の形態の設置状態を示し、（ａ）は平面図、（ｂ）は取付台部材とカバー部材の平面図である。
【発明を実施するための形態】
【０００９】
以下に、本発明の一実施の形態に係る計器装置を添付図面に基づいて説明する。
本発明の計器装置１は、計器２と、計器２を固定する第１の支持固定部３と、溝部４を有する取付台部材５と、取付台部材５に設けられ、第１の支持固定部３が支持固定される第２の支持固定部６と、取付台部材５の表面を覆うカバー部材７と、を備えており、カバー部材７には、第２の支持固定部６が挿通された状態において取付台部材５とカバー部材７との相対位置の変更を可能にする貫通孔８が形成されて構成される。
計器装置１は、例えば、車両用の計器装置１として、車両に予め組み込まれている計器とは別にユーザーなどによって後で設置される計器２をダッシュボードに取付台部材５を介して取り付けるものであり、計器２を運転者に見やすく設置でき、取付台部材５自体の構成及びカバー部材７によって見栄え良く、美観を損ねることなく設置できるようにしたものである。
【００１０】
計器装置１の計器２は、図１に示すように、例えば円筒形とされ、円筒形の一端の前面に図示しない文字板及び指針が設けられ、車両やエンジンからの信号などを受けて測定された値を文字盤の目盛りや数字と指針とで表示する。
計器２としては、例えばエンジンの吸気圧を指示するターボ計（吸気計）、油圧計、燃圧計、油温計、水温計、排気温度計、タコメータ（エンジン回転計）などとして用いられる。これらの計器２として必要な車両からの信号は、圧力センサや温度センサ等を設置して受ける場合に限らず、車両に設けられているエンジンコントールユニット（ＥＣＵ）等からの信号を計器用のメータコントロールユニットを介して計器２が受けるようにしたものであっても良い。また、計器２は、アナログ表示する計器に限らず、デジタル表示の計器であっても良い。また、計器２としては、コントローラとは別に表示器を備えた計器であっても良く、表示器の固定に適用することができる。
【００１１】
計器２は、例えば、計器２を保持する樹脂製の計器ホルダ９に収容される。
計器ホルダ９は、円筒部９ａと背面を塞ぐ背面部９ｂとを備えて一体に形成されており、円筒部９ａが計器２の円筒側面と当接し、背面部９ｂの中央の凸部９ｃが計器２の背面中心部と当接して計器２を保持する。背面部９ｂには、図示しないセンサハーネスやメータハーネス等を通す貫通部９ｄが形成されており、背面部９ｂは、計器２の背面を覆うことで美観を確保する背面カバーとして機能している。
計器ホルダ９は、一対の第１の支持固定部３を備えている。
一対の第１の支持固定部３は、計器ホルダ９の円筒部９ａの下側部分から下方に突き出して樹脂で一体に形成してある。第１の支持固定部３は、円筒形の計器２の中心軸方向と平行な板状に形成されて対向し、一対の第１の支持固定部３には、それぞれ固定用の回転軸１０を挿通するための図示しない貫通孔が形成してある。
一対の第１の支持固定部３は、後述する取付台部材５の第２の支持固定部６に回転軸１０で俯仰角度を調整して連結固定される。
なお、計器ホルダ９に第１の支持固定部３を備える場合に限らず、図示しない取付バンドを計器２に被せるようにして両端部を第１の支持固定部とするなど、計器２を固定することができるように第１の支持固定部３を設ければ良い。
【００１２】
取付台部材５は、図２に示すように、金属製の板材で構成されており、例えば略四角形に形成され、被設置面であるダッシュボードに両面粘着テープなどで取り付けられる。取付台部材５には、四角形の一辺と平行に一対の第２の支持固定部６が上方に突き出して中央部に形成してある。第２の支持固定部６は、取付台部材５にコ字状と逆コ字状の切り込みを向かい合わせて形成しておき、２つの切り込みを折り起こすことで一体に形成されている。一対の第２の支持固定部６は、その内側に計器ホルダ９の一対の第１の支持固定部３が配置されてそれぞれが当接している。一対の第２の支持固定部６には、それぞれ固定用の回転軸１０を挿通するための図示しない貫通孔が形成してある。
【００１３】
取付台部材５は、溝部４が形成してあり、金属製の板の表裏を貫通する細い切り込みのスリットで溝部４を構成している。溝部４は、例えば、取付台部材５の四角形の中心（対角線の交点）から略放射方向や略放射方向と交差して形成され、車両のダッシュボードの曲面に倣わせて変形を促して両面粘着テープなどで取り付けることができるようにしてある。
取付台部材５は、計器２を運転者の方向Ａとして見易くするため、一対の第２の支持固定部６を結ぶ方向（回転軸１０の中心軸方向）を定めて設置され、車両の前後方向やダッシュボードの稜線方向Ｂに合わせることなくダッシュボードに両面粘着テープなどで取り付ける。また、取付台部材５の第２の支持固定部６と計器ホルダ９の第１の支持固定部３とを回転軸１０で連結し、回転軸１０を中心に計器２の俯仰角度を調整して連結固定する。回転軸１０は、例えば、六角穴付きボルトとナットとで構成される。
なお、細い切り込みによる溝部４は、取付台部材５の中心部から略放射方向とこれと交差する方向とに形成する場合に限らず、被設置面となるダッシュボードの形状により溝部４の形成方向を設定すれば良く、被設置面に倣わせ易く形成する。
【００１４】
この取付台部材５に形成する溝部４は、計器２の被設置面であるダッシュボードに倣わせる取付台部材５の変形を促す第１の溝部４ａと、後述する取付台部材５を覆うカバー部材７からの取付台部材５のはみ出し部分５ａの折除を促す第２の溝部４ｂとで構成される。
溝部４は、全ての溝部４、すなわち第１の溝部４ａと第２の溝部４ｂのいずれも計器２の被設置面であるダッシュボードに倣わせる取付台部材５の変形を促すことができるものである。
一方、略放射方向の溝部４ａの間の略放射方向と交差する方向の溝部４ｂは、隣接する略放射方向の溝部４ａの間の取付台部材５の連結部分（取付台部材５の残存部分）を少なくしており、繰り返して曲げることで、折除する場合に、より簡単に折除でき、第２の溝部４ｂとして機能することになる。
なお、第２の溝部４ｂは、取付台部材５の形状と後述するカバー部材７の形状や大きさによってカバー部材７からはみ出す取付台部材５のはみ出し部分５ａが予め分かることから、折り取る位置を想定して形成すれば良い。
第２の溝部４ｂは、本実施の形態では、取付台部材５を四角形状とし、カバー部材７を取付台部材５よりわずかに大きい相似形の四角形状としているので、取付台部材５とカバー部材７との相対位置を変更した場合の取付台部材５のはみ出し部分５ａが最大となるのは、取付台部材５の対角位置の四箇所の角部となる。
したがって、第２の溝部４ｂは、対角線の両側の略放射方向の溝部４ａの間で、略放射方向と交差する方向に形成され、両側から溝部４ｂを形成して中央に連結部分を残したり（図２（ａ）の上側の２箇所参照）、逆に中央に溝部４ｂを形成して両側に連結部分を残すようにする（図２（ａ）の下側の２箇所参照）。
【００１５】
取付台部材５には、表面を覆うカバー部材７が両面粘着テープなどで取り付けて設けられる。
カバー部材７は、ゴムや合成ゴムなどの可撓性材料で構成され、取付台部材５の大きさに対してわずかに大きい略四角形に形成してある。カバー部材７は、図３に示すように、取付台部材５の第２の支持固定部６が挿通された状態において取付台部材５とカバー部材７との相対位置の変更を可能にする貫通孔８が形成してある。貫通孔８は、一対の第２の支持固定部６に合わせて２つ形成してある。
カバー部材７の貫通孔８は、取付台部材５をダッシュボードなどの被設置面に設置する場合に運転者に見易くするため第２の支持固定部６の方向、すなわち回転軸１０の中心軸方向を車両の前後方向と交差する方向やダッシュボードの稜線方向Ｂに対して交差する斜めの運転者の方向Ａに設置された場合であっても、カバー部材７を車両の前後方向やダッシュボードの稜線方向Ｂに合わせることができるように相対位置を変えることができるように形成してある。貫通孔８は、具体的には、図３及び図４（ｂ）に示すように、円弧状の貫通溝として形成され、カバー部材７の貫通孔８内を取付台部材５の第２の支持固定部６が相対位置を変えることができるようにしてある。貫通孔８は、例えば、取付台部材５に対しカバー部材７の相対位置を±４５度の範囲で変更可能に形成される。
こうすることで、取付台部材５を計器２を見易くする運転者の方向Ａに取り付け、取付台部材５を覆うカバー部材７を車両の前後方向やダッシュボードの稜線方向Ｂに合わせることが可能となる。
【００１６】
こうして、図４に示すように、取付台部材５の向きを運転者に見易い運転者の方向Ａに設置し、カバー部材７をダッシュボードの稜線方向Ｂに合わせると、取付台部材５の角部がカバー部材７からはみ出したはみ出し部分５ａ（図面上は、既に折除してあるので、折除前の部分を想定して示してある。）となる。
はみ出し部分５ａは、取付台部材５の溝部４、特に第２の溝部４ｂを利用してはみ出し部分５ａを繰り返し曲げることなどで折除する。
取付台部材５のはみ出し部分５ａを折除することで、計器装置１は、ダッシュボードの稜線方向Ｂに合わせたカバー部材７で覆われた取付台部材５で固定され、取付台部材５の外形や溝部４がカバー部材７で見えなくなることで、見た目が良く、美観を損ねることなく計器装置１が設置された状態となる。
なお、貫通孔８は、２つの円弧状の貫通溝で構成する場合に限らず、円形の孔であっても良く、第２の支持固定部６がカバー部材７から突き出した状態で相対位置を変えることができれば良い。また、貫通孔８を円形の孔とした場合には、円形の貫通孔８内に取付台部材５の溝部４が位置しないように溝部４を形成することで、カバー部材７で覆わなくとも見た目が良く、美観を損ねることがない。
さらに、取付台部材５とカバー部材７の外形は、略四角形とした場合を例に説明したが、これらの外形は、他の形状であっても良く、同一の形状でなくともカバー部材７を取付台部材５より大きく形成すれば良い。
【００１７】
以上、実施の形態とともに、具体的に説明したように、本発明の計器装置１によれば、計器２と、計器２を固定する第１の支持固定部３と、溝部４を有する取付台部材５と、取付台部材５に設けられ、第１の支持固定部３が支持固定される第２の支持固定部６と、取付台部材５の表面を覆うカバー部材７と、を備えており、カバー部材７には、第２の支持固定部６が挿通された状態において取付台部材５とカバー部材７との相対位置の変更を可能にする貫通孔８が形成されているので、取付台部材５を、計器２を見易くする運転者の方向Ａに設置し、取付台部材５を覆うカバー部材７を車両の前後方向やダッシュボードの稜線方向Ｂに合わせて設置することができ、運転者に見易く設置しても見た目が良く、美観を損ねることなく設置することができる。
【００１８】
本発明の計器装置１によれば、第１の支持固定部３と、第２の支持固定部６とは、計器２の俯仰角度を調整するべく回転軸１０を中心に回転可能に連結されているので、計器２の前面を、運転者への向きだけでなくより運転者の視線に合わせることができ、一層見易く設定することができる。
【００１９】
本発明の計器装置１によれば、取付台部材５は、溝部４として、計器２の被設置面に倣わせる取付台部材５の変形を促す第１の溝部４ａと、カバー部材７からの取付台部材５のはみ出し部分５ａの折除を促す第２の溝部４ｂと、を備えているので、カバー部材７からはみ出す取付台部材５のはみ出し部分５ａを簡単に折除することができる。
【００２０】
なお、上記の実施の形態では、計器装置１として車両に設置する計器装置を例に説明したが、車両に限らず船舶や航空機など広く計器装置を設置する場合に適用することができるものである。
また、本発明は、上記の実施の形態に何ら限定するものでない。
【符号の説明】
【００２１】
１        計器装置
２        計器
３        第１の支持固定部
４        溝部
４ａ      第１の溝部
４ｂ      第２の溝部
５        取付台部材
５ａ      はみ出し部分
６        第２の支持固定部
７        カバー部材
８        貫通孔
９        計器ホルダ
９ａ      円筒部
９ｂ      背面部
９ｃ      凸部
９ｄ      貫通部
１０      回転軸
Ａ        運転者の方向
Ｂ        ダッシュボードの稜線方向
【図１】
0006658262.tif 000002
【図２】
0006658262.tif 000003
【図３】
0006658262.tif 000004
【図４】
0006658262.tif 000005